(57)【要約】【課題】風船への流体注入作業を容易に行うことができる風船用ポンプを提供する。【解決手段】風船用ポンプ１０は、風船１の流体取込部３に挿入されるノズル１４を有するポンプであって、ノズル１４の流体取込部３に挿入される部分の側面に、突起１６を備えることを特徴とする。この風船用ポンプ１０によれば、ノズル１４の突起１６によって、ノズル１４を流体取込部３から抜け難くすることができ、風船１への流体注入作業を容易に行うことができる。【選択図】図３
2018102552.tif 000002
【特許請求の範囲】
【請求項１】
風船の流体取込部に挿入されるノズルを有するポンプであって、
前記ノズルの前記流体取込部に挿入される部分の側面に、突起を備えることを特徴とする風船用ポンプ。
【請求項２】
前記ノズルの先端は、前記ポンプの流体貯留部の外表面よりも外側に所定距離、突出しており、
前記ノズルの前記先端から前記突起までの距離は、１ｃｍ以上、又は前記所定距離の１／３以上に設定されている請求項１記載の風船用ポンプ。
【請求項３】
前記突起は、前記ノズルの前記側面の第１箇所を起点として突出した第１突起表面と、前記ノズルの前記側面の前記第１箇所よりも前記ノズルの基端側にある第２箇所を起点として突出して前記第１突起表面の先端に接続した第２突起表面と、を有し、
前記第１突起表面は、前記第１箇所から前記第１突起表面の先端に向かうに従って前記ノズルの軸線から遠ざかるように傾斜した傾斜面になっている請求項１又は２に記載の風船用ポンプ。
【請求項４】
前記ノズルは、前記ノズルの先端面に、前記ノズルの軸線に対して垂直なノズル垂直面と、前記ノズル垂直面の角部が斜めにカットされるようにして前記ノズルの軸線に対して傾斜したノズル傾斜面と、を有する請求項１〜３のいずれか１項に記載の風船用ポンプ。
【請求項５】
前記ポンプの流体貯留部に、流体を前記流体貯留部の内部に吸入するための部位である吸入部を備える請求項１〜４のいずれか１項に記載の風船用ポンプ。
【請求項６】
前記吸入部の先端面は、前記流体貯留部の外表面よりも外側に突出している請求項５記載の風船用ポンプ。
【請求項７】
前記吸入部の前記先端面に溝を有する請求項６記載の風船用ポンプ。
【請求項８】
流体が前記吸入部を通過して前記流体貯留部の内部に流入することを許容し、前記流体貯留部の内部の流体が前記吸入部を通過して前記ポンプの外部に流出することを禁止する吸入部用逆止弁と、
前記流体貯留部の内部の流体が前記ノズルを通過して前記ポンプの外部に流出することを許容し、流体が前記ノズルを通過して前記流体貯留部の内部に流入することを禁止するノズル用逆止弁と、を備える請求項５〜７のいずれか１項に記載の風船用ポンプ。
【請求項９】
流体を貯留する流体貯留部としてのシリンダと、
前記シリンダの内部を摺動する摺動部を有するピストンと、
前記ピストンが回転することを抑制しつつ前記ピストンがシリンダ軸方向に変位できるように前記ピストンをガイドするピストンガイド部と、を備える請求項１〜８のいずれか１項に記載の風船用ポンプ。
【発明の詳細な説明】
【技術分野】
【０００１】
本発明は風船に流体を注入する際に用いられる風船用ポンプに関する。
【背景技術】
【０００２】
従来、例えばゴム風船等のように、流体を注入することで膨張する風船が知られている（例えば特許文献１参照）。具体的には、この特許文献１には、流体が注入されることで膨張する本体部（特許文献１では風船本体と称されている）と、本体部に接続した流体取込部（特許文献１では吸込み部と称されている）を備える風船が開示されている。
【０００３】
この風船に例えば空気、水等の流体を注入する場合、一般に、ノズルを有するポンプを用いて、流体を風船の本体部内に注入する（例えば特許文献２参照）。具体的には、ポンプのノズルを風船の流体取込部に挿入して、流体取込部の外側からポンプのノズルを指等で抑えながら、ポンプによって流体を風船の本体部内に注入して、本体部を膨張させる。
【先行技術文献】
【特許文献】
【０００４】
【特許文献１】特開２００８−２８４０１２号公報
【特許文献２】特開２００１−３２３８７１号公報
【発明の概要】
【発明が解決しようとする課題】
【０００５】
上述したような従来技術の場合、風船へ流体を注入する際に、風船の流体取込部に挿入されたポンプのノズルが流体取込部から抜けることを防止するために、流体取込部の外側からポンプのノズルを指等で強く押圧することが要求される。このような風船への流体注入作業は容易な作業とはいえない。
【０００６】
本発明は、上記のことを鑑みてなされたものであり、その目的は、風船への流体注入作業を容易に行うことができる風船用ポンプを提供することである。
【課題を解決するための手段】
【０００７】
上記目的を達成するため、本発明に係る風船用ポンプは、風船の流体取込部に挿入されるノズルを有するポンプであって、前記ノズルの前記流体取込部に挿入される部分の側面に、突起を備えることを特徴とする。
【発明の効果】
【０００８】
本発明によれば、ノズルが突起を備えているので、ノズルを風船の流体取込部から抜け難くすることができる。これにより、風船へ流体を注入する際に、風船の流体取込部の外側からポンプのノズルを指等で強く押圧する必要がなくなるので、風船への流体注入作業を容易に行うことができる。
【０００９】
なお、上記構成において、前記ノズルの先端は、前記ポンプの流体貯留部の外表面よりも外側に所定距離、突出しており、前記ノズルの前記先端から前記突起までの距離は、１ｃｍ以上、又は前記所定距離の１／３以上に設定されている構成とすることができる。この構成によれば、ノズルの先端を風船の本体部の頂点により近い部分に挿入することができるので、風船を本体部の頂点から均等に膨張させることが容易にできる。これにより、風船の本体部を綺麗な球状に膨張させることが容易にできる。
【００１０】
また、上記構成において、前記突起は、前記ノズルの前記側面の第１箇所を起点として突出した第１突起表面と、前記ノズルの前記側面の前記第１箇所よりも前記ノズルの基端側にある第２箇所を起点として突出して前記第１突起表面の先端に接続した第２突起表面と、を有し、前記第１突起表面は、前記第１箇所から前記第１突起表面の先端に向かうに従って前記ノズルの軸線から遠ざかるように傾斜した傾斜面になっている構成とすることができる。この構成によれば、第１突起表面がこのような構成になっていない場合に比較して、ノズルを風船の流体取込部に容易に挿入することができる。
【００１１】
また、上記構成において、前記ノズルは、前記ノズルの先端面に、前記ノズルの軸線に対して垂直なノズル垂直面と、前記ノズル垂直面の角部が斜めにカットされるようにして前記ノズルの軸線に対して傾斜したノズル傾斜面と、を有する構成とすることができる。この構成によれば、ノズル傾斜面を有しているので、ノズルを風船の流体取込部に容易に挿入することができる。また、ノズル垂直面も有しているので、ノズルの先端面の全部がノズル傾斜面になっている場合のようにノズルの先端面の先端側の角部が尖った構成になっていない。これにより、ノズルを風船の流体取込部に挿入する際に、ノズルの先端面の先端側の角部によって風船に傷が付くことを抑制できる。
【００１２】
また、上記構成において、前記ポンプの流体貯留部に、流体を前記流体貯留部の内部に吸入するための部位である吸入部を備える構成とすることができる。この構成によれば、吸入部から流体を流体貯留部の内部に容易に吸入することができる。
【００１３】
また、上記構成において、前記吸入部の先端面は、前記流体貯留部の外表面よりも外側に突出している構成とすることができる。また、この構成において、前記吸入部の前記先端面に溝を有する構成とすることもできる。この構成によれば、仮にユーザが吸入部の先端面を指で押さえた状態で吸入部から流体を吸入しようとした場合であっても、この吸入部の溝と指との間に隙間を生じさせることができ、この隙間から流体を流体貯留部の内部に吸入することができる。
【００１４】
また、上記構成において、流体が前記吸入部を通過して前記流体貯留部の内部に流入することを許容し、前記流体貯留部の内部の流体が前記吸入部を通過して前記ポンプの外部に流出することを禁止する吸入部用逆止弁と、前記流体貯留部の内部の流体が前記ノズルを通過して前記ポンプの外部に流出することを許容し、流体が前記ノズルを通過して前記流体貯留部の内部に流入することを禁止するノズル用逆止弁と、を備える構成とすることができる。この構成によれば、流体貯留部への流体の吸入時には、ノズルから流体が吸入されることを抑制しつつ吸入部から流体貯留部へ流体を吸入することができ、流体の流出時（風船のへ流体の注入時）には吸入部から流体が流出することを抑制しつつノズルから流体を流出させて、風船に流体を注入することができる。これにより、ノズルに風船を挿入した状態で、吸入部から流体を流体貯留部内に吸入することができる。この結果、ノズルに風船を挿入した状態で、流体貯留部への流体の吸入と風船への流体の注入とを連続して行うことができる。
【００１５】
また、上記構成において、流体を貯留する流体貯留部としてのシリンダと、前記シリンダの内部を摺動する摺動部を有するピストンと、前記ピストンが回転することを抑制しつつ前記ピストンがシリンダ軸方向に変位できるように前記ピストンをガイドするピストンガイド部と、を備える構成とすることができる。この構成によれば、ピストンの操作性を向上させることができる。
【図面の簡単な説明】
【００１６】
【図１】図１（ａ）及び図１（ｂ）は実施形態１に係る風船用ポンプの全体構成を示す模式的断面図であり、具体的には図１（ａ）はピストンが基端側に変位した状態を示し、図１（ｂ）はピストンが先端側に変位した状態を示している。
【図２】流体が注入される前の状態の風船の模式的斜視図である。
【図３】図３（ａ）〜図３（ｄ）はノズル及び吸入部の詳細を説明するための模式図である。
【図４】図４（ａ）は風船にポンプのノズルが挿入された状態を示す断面図であり、図４（ｂ）はポンプによって風船に流体が注入された状態を示す断面図である。
【図５】実施形態２に係る風船用ポンプの先端部の断面を模式的に示す模式的断面図である。
【図６】図６（ａ）及び図６（ｂ）は吸入部用逆止弁を説明するための模式図である。
【図７】図７（ａ）及び図７（ｂ）はノズル用逆止弁を説明するための模式図である。
【図８】図８（ａ）〜図８（ｃ）は実施形態１及び実施形態２の変形例１を説明するための模式図である。
【図９】実施形態１及び実施形態２の変形例２を説明するための模式図である。
【発明を実施するための形態】
【００１７】
（実施形態１）
以下、本発明の実施形態１に係る風船用ポンプ１０（以下、ポンプ１０と略称する）について図面を参照しつつ説明する。なお、図面に関しては、構成が分かり易いように模式的に図示されており、各部材の厚みや幅、長さ等の比率は必ずしも実際の製品の比率と一致しているとは限らない。
【００１８】
図１（ａ）及び図１（ｂ）に示すポンプ１０は、図２に例示するような風船１に流体を注入する際に使用されるポンプである。このポンプ１０は、持ち運び可能なピストンポンプ（すなわち可搬型のピストンポンプ）である。図２に示すように、本実施形態で使用される風船１は、本体部２と、本体部２に接続した流体取込部３を有している。本実施形態においては風船１の材質の一例として、伸縮自在な材質、具体的にはラテックス、より具体的にはゴムを用いる。また風船１に注入される流体の一例として、空気又は水を用いる。すなわち、本実施形態に係る風船１は、いわゆるゴム風船の内部に空気又は水が封入されたヨーヨー風船である。
【００１９】
但し、風船１の具体例は上記のものに限定されるものではない。例えば風船１の材質として、伸縮自在でない材質（例えばアルミフィルムや、ビニール等の樹脂等）を用いることもできる。また風船１に注入される流体も、空気や水に限定されるものではなく、空気よりも軽い気体（ヘリウムガス等）や、水以外の液体等を用いることもできる。
【００２０】
図１（ａ）及び図１（ｂ）を再び参照して、ポンプ１０は、流体を貯留する流体貯留部１１、ピストン１２、ノズル１４、及び吸入部１７を備えている。本実施形態において、流体貯留部１１は、シリンダによって構成されている。なお、図１（ａ）及び図１（ｂ）においてピストン１２の断面図示は省略されている。ピストン１２は、流体貯留部１１内を摺動する部位である摺動部７０と、ユーザが握る部位（グリップする部位）であるグリップ部７２と、摺動部７０とグリップ部７２とを連結する連結部７１を備えている。
【００２１】
なお、グリップ部７２は円柱形状又は円筒形状であることが好ましく、実際、本実施形態に係るグリップ部７２はこのような形状になっている。この構成によれば、ピストン１２のグリップ部７２が円柱形状又は円筒形状でない場合に比較して、ユーザがグリップ部７２を容易に握ることができる。これにより、ピストン１２の操作性を向上させることができる。
【００２２】
但し、グリップ部７２の形状は、ユーザが握ることができる形状であればよく、円柱形状又は円筒形状に限定されるものではない。また、本実施形態においては、連結部７１も円柱形状又は円筒形状になっているが、連結部７１の具体的な形状もこれに限定されるものではない。なお、連結部７１の他の一例（変形例）については、後述する図８で説明する。
【００２３】
続いてノズル１４及び吸入部１７の詳細について説明する。図３（ａ）〜図３（ｄ）はノズル１４及び吸入部１７の詳細を説明するための模式図である。具体的には、図３（ａ）はポンプ１０の先端部の外観を模式的に図示しており、図３（ｂ）はポンプ１０の先端部の断面を模式的に図示しており、図３（ｃ）はノズル１４の後述する突起１６の周辺構造の外観を模式的に拡大図示しており、図３（ｄ）は図３（ａ）の吸入部１７の先端面を先端側から視認した様子を模式的に図示している。
【００２４】
図３（ａ）及び図３（ｂ）に示すように、本実施形態に係る流体貯留部１１の先端部は、一例として、半球形状になっている。ノズル１４は、流体貯留部１１の半球形状部分の外表面よりも流体貯留部１１の軸線方向でさらに先端側に突出している。このノズル１４は、風船１に流体を注入する際に、風船１の流体取込部３に挿入されて使用される。
【００２５】
ノズル１４には、ノズル１４の軸線（ノズル軸線１００）に沿って、流体が通過可能な貫通穴が形成されている。またノズル１４は、先端側に向かうほど縮径した形状を有している（逆にいえば、基端側に向かうほど拡径した形状を有している）。この構成により、ノズル１４を風船１の流体取込部３に容易に挿入することができる。但し、ノズル１４の形状は、これに限定されるものではなく、例えばノズル１４の径は、ノズル１４の基端側から先端側にかけて同じ値とすることもできる。
【００２６】
ノズル１４の先端面（ノズル先端面１５）は、ノズル垂直面２０とノズル傾斜面２１とによって構成されている。ノズル垂直面２０は、ノズル軸線１００に対して垂直な面である。ノズル傾斜面２１は、ノズル垂直面２０の角部が斜めにカットされるようにしてノズル軸線１００に対して傾斜した面である。
【００２７】
但し、ノズル先端面１５の構成はこれに限定されるものではなく、例えば、ノズル先端面１５にはノズル傾斜面２１が形成されていなくてもよい。この場合、ノズル先端面１５は、その全体がノズル垂直面２０によって構成される。あるいは、ノズル先端面１５にはノズル垂直面２０が形成されていなくてもよい。この場合、ノズル先端面１５は、その全体がノズル傾斜面２１によって構成される。
【００２８】
またノズル１４の流体取込部３に挿入される部位の側面には、ノズル１４の径方向で外側方向に突出した突起１６が設けられている。具体的には本実施形態に係る突起１６は、ノズル１４の流体取込部３に挿入される部位の側面に１箇所、環状に設けられた環状突起によって構成されている。
【００２９】
また、図３（ａ）に示すように、ノズル１４の先端は流体貯留部１１の外表面よりも外側に所定距離（Ｌ１）突出しており、ノズル１４の先端から突起１６までの距離（Ｌ２）は、１ｃｍ以上、又は、所定距離（Ｌ１）の１／３以上に設定されている。この一例として、本実施形態に係る突起１６は、ノズル１４の先端からの距離が１ｃｍ以上になっており、且つ、Ｌ２がＬ１の１／３〜４／５の範囲内になっており、具体的には図３（ａ）ではＬ２がＬ１の２／３になっている。
【００３０】
ここで、本実施形態に係るノズル１４が突出している流体貯留部１１の外表面は平坦面ではなく半球形状の面になっている。そこで、本実施形態においては、上記のＬ１の起算
点の一例として、流体貯留部１１の外表面から突出したノズル１４の根元部分（ノズル１４と流体貯留部１１の外表面との接続部分）のうち、流体貯留部１１の半球形状部分の先端側の頂点に最も近い箇所（Ｓ１で図示された箇所）を用いている。すなわち、本実施形態においては、Ｓ１からノズル１４の先端（具体的にはノズル垂直面２０）までの距離をＬ１として用いている。
【００３１】
また、図３（ｃ）に示すように、突起１６は、第１突起表面３０と第２突起表面３１とを有して構成されている。第１突起表面３０は、ノズル１４の側面の第１箇所１８ａを起点として突出した突起１６の外表面部分である。第２突起表面３１は、ノズル１４の側面の第２箇所１８ｂ（これは第１箇所１８ａよりもノズル１４の基端側にある箇所）を起点として突出して、第１突起表面３０の先端に接続した突起１６の外表面部分である。
【００３２】
また第１突起表面３０は、第１箇所１８ａから第１突起表面３０の先端に向かうに従ってノズル軸線１００から遠ざかるように傾斜した傾斜面になっている。なお、この傾斜面は、平面（すなわち傾斜平面）であってもよく、曲面（すなわち傾斜曲面）であってもよい。また第２突起表面３１は、ノズル軸線１００に垂直な面になっている。これにより、本実施形態に係る突起１６は、その側面視が台形形状になっている。なお、第２突起表面３１は、ノズル軸線１００に垂直な面ではなく、例えば、第２箇所１８ｂから第２突起表面３１の先端に向かうに従ってノズル軸線１００から遠ざかるように傾斜した傾斜面になっていてもよい。なお、この傾斜面も、平面であってもよく、曲面であってもよい。
【００３３】
なお、上述した突起１６の構成は、あくまでも突起１６の一例に過ぎず、突起１６の構成はこれに限定されるものではない。例えば、突起１６の形成位置は上述した形成位置に限定されるものではない。また、突起１６の形状も、上述した形状に限定されるものではない。
【００３４】
また、突起１６の個数は１個に限定されるものではなく、複数個であってもよい。この具体例を挙げると、例えばノズル１４は、環状の突起１６を、ノズル軸線１００の方向に複数個備えていてもよい。あるいは、ノズル１４は、環状でない突起を、隣接する突起との間に空間をあけて、ノズル１４の周方向に複数個備えていてもよい（すなわち、この場合、複数個の突起がノズル１４の周方向に破線状に配置されることになる）。
【００３５】
また、本実施形態において、突起１６の高さ（ノズル１４の側面からの突出距離）は、一例として、１ｍｍ〜５ｍｍの範囲内から選択された所定の値となっているが、これに限定されるものではない。なお、突起１６の高さは、この値が大きいほどノズル１４から風船１の流体取込部３が抜け難くなる傾向があり、この値が小さいほど、ノズル１４を流体取込部３に挿入し易くなる傾向がある。そこで、ノズル１４からの流体取込部３の抜け難さとノズル１４の流体取込部３への挿入し易さとのバランスを考慮して、好適な突起１６の高さを設定すればよい。
【００３６】
図３（ａ）及び図３（ｂ）に示すように、吸入部１７は、流体貯留部１１に設けられており、流体を流体貯留部１１の内部に吸入するための部位である。具体的には、吸入部１７には、吸入部１７の軸線に沿って、流体が通過可能な貫通穴が形成されている。流体は、吸入部１７の貫通孔を通過して流体貯留部１１の内部に吸入される。
【００３７】
また吸入部１７は、この吸入部１７の先端面が流体貯留部１１の外表面よりも外側に突出するように構成されている。具体的には吸入部１７は、流体貯留部１１の先端部の半球形状部分に設けられており、吸入部１７の先端面が流体貯留部１１の半球形状部分の外表面よりも外側に突出するように設けられている。
【００３８】
また、図３（ｄ）に示すように、吸入部１７の先端面には、溝４１が形成されている。具体的には溝４１は、吸入部１７の先端面における吸入口４０の外周箇所に、吸入部１７の径方向に延在するようにして、合計２箇所、形成されている。
【００３９】
なお、上述した吸入部１７の構成は、一例に過ぎず、吸入部１７の構成は上記構成に限定されるものではない。例えば、ポンプ１０は、流体貯留部１１の先端部以外の箇所に吸入部１７を備えていてもよい。また、吸入部１７は、流体貯留部１１の外表面よりも外側に突出していない構成であってもよい（この場合、吸入部１７の先端面は流体貯留部１１の外表面に埋まるように配置される）。また、溝４１の形成箇所は２箇所に限定されるものではなく、２箇所より多くてもよく、少なくてもよい。あるいは吸入部１７は、溝４１を備えていない構成とすることもできる。
【００４０】
続いて、ポンプ１０を用いた流体注入方法について図４を用いて説明する。具体的には図４（ａ）は流体が注入される前の状態の風船１及びポンプ１０を模式的に図示し、図４（ｂ）は流体が注入された状態の風船１及びポンプ１０を模式的に図示している。なお、構成を視認し易くするために、ポンプ１０は二点鎖線で図示されている。
【００４１】
まず、図４（ａ）に示すように、流体が注入される前の状態の風船１の流体取込部３に、ポンプ１０のノズル１４を挿入する。具体的には、ノズル１４の突起１６が流体取込部３の内部に位置するように、ノズル１４を流体取込部３に挿入する。この際、ポンプ１０の流体貯留部１１には、既に流体が貯留されている。具体的には、本実施形態においては、風船１をノズル１４に取り付ける前の段階で、既に流体が流体貯留部１１に貯留されている。但し、流体を流体貯留部１１に貯留しておく時期は、これに限定されるものではない。
【００４２】
次いで、図４（ｂ）に示すように、ポンプ１０によって流体を風船１内に注入して、風船１の本体部２を膨張させる。この際、突起１６によって、ノズル１４が風船１の流体取込部３から抜け難くなっている。これにより、ノズル１４が挿入された状態の流体取込部３の突起１６部分に対応した箇所（例えば、流体取込部３の外表面のうち、突起１６の裏側に相当する箇所）や、この周辺の箇所等を例えば指等で軽く押圧するだけで、流体取込部３がノズル１４から抜けることを防止して、風船１に流体を容易に注入することができる。
【００４３】
なお、風船１に流体を注入した後においては、ノズル１４を流体取込部３から引き抜いて、流体取込部３を糸ゴム等で縛る、あるいは流体取込部３自体を縛る等の手法により、流体取込部３を閉口させる。
【００４４】
続いて本実施形態の作用効果について説明する。まず、本実施形態によれば、上述したように、ノズル１４の突起１６によってノズル１４を風船１の流体取込部３から抜け難くすることができるので、風船１へ流体を注入する際に、風船１の流体取込部３の外側からノズル１４を指等で強く押圧する必要がなくなる。これにより、風船１への流体注入作業を容易に行うことができる。
【００４５】
また、本実施形態によれば、図３で説明したように、ノズル１４の先端は流体貯留部１１の外表面から所定距離（Ｌ１）突出しており、ノズル１４の先端から突起１６までの距離（Ｌ２）が１ｃｍ以上、又は、所定距離（Ｌ１）の１／３以上に設定されているので、ノズル１４の先端から突起１６までの距離が１ｃｍ未満の場合や所定距離の１／３未満の場合に比較して、図４（ａ）に示すように、ノズル１４の先端を風船１の本体部２の頂点４により近い部分に挿入することができる。これにより、図４（ｂ）に示すように、風船１を本体部２の頂点４から均等に膨張させることが容易にできる。この結果、風船１の本体部２を綺麗な球状に膨張させることが容易にできる。
【００４６】
また、本実施形態によれば、図３（ｃ）で説明したように、突起１６の第１突起表面３０が第１箇所１８ａから第１突起表面３０の先端に向かうに従ってノズル軸線１００から遠ざかるように傾斜した傾斜面になっているので、第１突起表面３０がこのような構成になっていない場合に比較して、ノズル１４を風船１の流体取込部３に容易に挿入することができる。
【００４７】
また、本実施形態によれば、突起１６の第２突起表面３１がノズル軸線１００に対して垂直な面になっているので、ノズル１４を風船１の流体取込部３から抜け難くすることもできる。なお、第２突起表面３１が、ノズル軸線１００に対して垂直な面ではなく、第２箇所１８ｂから第２突起表面３１の先端に向かうに従ってノズル軸線１００から遠ざかるように傾斜した傾斜面になっている場合であっても、ノズル１４を風船１の流体取込部３から抜け難くすることができる。
【００４８】
また、本実施形態によれば、図３（ａ）で説明したように、ノズル先端面１５にノズル傾斜面２１を有しているので、ノズル先端面１５が全てノズル垂直面２０によって構成されている場合に比較して、ノズル１４を風船１の流体取込部３に容易に挿入することができる。また、ノズル先端面１５の一部にノズル垂直面２０を有しているので、以下に説明する効果を奏することができる。
【００４９】
仮にノズル先端面１５の全部がノズル傾斜面２１になっている場合、ノズル先端面１５の先端側の角部（ノズル先端面１５の外周縁部とノズル１４の側面の先端部とが接続する部位）は、この角部の角度が９０度よりも小さい尖った形状になってしまう。この場合、このノズル先端面１５の先端側の角部によって、風船１の流体取込部３に傷を付けるおそれがある。これに対して、本実施形態によれば、ノズル先端面１５の一部にノズル垂直面２０を有しており、ノズル先端面１５の全部がノズル傾斜面２１になっていないので、ノズル先端面１５の先端側の角部が尖った構成になっていない。これにより、ノズル１４を流体取込部３に挿入する際に、ノズル先端面１５の先端側の角部によって風船１に傷を付けることを抑制できる。
【００５０】
また、本実施形態によれば、図３（ａ）及び図３（ｂ）で説明したように、吸入部１７を備えているので、この吸入部１７から流体を流体貯留部１１の内部に容易に吸入することができる。
【００５１】
また、本実施形態によれば、図３（ｄ）等で説明したように、吸入部１７の先端面が流体貯留部１１の外表面よりも外側に突出しており、且つ吸入部１７の先端面に溝４１を有しているので、仮にユーザが吸入部１７の先端面を指で押さえた状態で吸入部１７から流体を吸入しようとした場合であっても、この吸入部１７の溝４１と指との間に隙間を生じさせることができる。これにより、この隙間から流体を流体貯留部１１の内部に吸入することができる。
【００５２】
（実施形態２）
続いて、本発明の実施形態２に係る風船用ポンプ１０ａ（以下、ポンプ１０ａと略称する）について説明する。図５は、本実施形態に係るポンプ１０ａの先端部の断面を模式的に示す模式的断面図である。ポンプ１０ａは、吸入部用逆止弁５０及びノズル用逆止弁６０をさらに備えている点において、前述した実施形態１に係るポンプ１０と異なっている。ポンプ１０ａの他の構成はポンプ１０の構成と同様であるので、他の構成の説明は省略する。
【００５３】
図６（ａ）及び図６（ｂ）は吸入部用逆止弁５０を説明するための模式図である。具体的には図６（ａ）及び図６（ｂ）は、吸入部１７における吸入部用逆止弁５０の近傍を拡大して模式的に断面図示している。図６（ａ）は吸入部用逆止弁５０が閉弁した状態を示し、図６（ｂ）は吸入部用逆止弁５０が開弁した状態を示している。なお、吸入部用逆止弁５０の構成を視認し易くするために、吸入部１７は二点鎖線で図示されている。
【００５４】
吸入部用逆止弁５０は、流体（Ｆ）が吸入部１７を通過して流体貯留部１１の内部に流入することを許容し、流体貯留部１１の内部の流体（Ｆ）が吸入部１７を通過してポンプ１０の外部に流出することを禁止する逆止弁である。このような機能を有するものであれば、吸入部用逆止弁５０の具体的な配置箇所は特に限定されるものではない。吸入部用逆止弁５０の配置箇所の具体例を挙げると、吸入部１７の流体入口部や吸入部１７の流体出口部等を用いることができる。本実施形態に係る吸入部用逆止弁５０は、一例として、吸入部１７の流体出口部に配置されている。
【００５５】
本実施形態に係る吸入部用逆止弁５０は、一例として、ゴム弁５１と、ゴム弁ホルダ５２ａ及びゴム弁ホルダ５２ｂとを有している。ゴム弁５１は、円板状のゴム板の一部に切り込みが設けられており、これにより、図６（ｂ）に示すように、ゴム弁５１の中央部の一部（これが弁体として機能する）が屈曲して吸入部１７の基端側に変位できるように構成されている。
【００５６】
ゴム弁ホルダ５２ａ，５２ｂは、ゴム弁５１を保持する部材である。具体的には、本実施形態に係るゴム弁ホルダ５２ａ，５２ｂはリング状の部材によって構成されており、ゴム弁ホルダ５２ａはゴム弁５１よりも吸入部１７の先端側に配置され、ゴム弁ホルダ５２ｂはゴム弁５１よりも吸入部１７の基端側に配置されている。ゴム弁５１は、ゴム弁ホルダ５２ａとゴム弁ホルダ５２ｂとによって挟持されている。ゴム弁ホルダ５２ａには、ゴム弁５１の弁体の径よりも小さい径を有する小径穴５３が形成されている。ゴム弁ホルダ５２ｂには、ゴム弁５１の弁体の径よりも大きい径を有する大径穴５４が形成されている。
【００５７】
図６（ａ）に示すように、流体（Ｆ）が流体貯留部１１の側から吸入部１７を通過してポンプ１０の外部に流出しようとした場合、ゴム弁５１の弁体は先端側に向かう方向の圧力を流体（Ｆ）から受けて、ゴム弁ホルダ５２ａの小径穴５３を閉塞する。これにより、流体貯留部１１の内部の流体（Ｆ）が吸入部１７を通過して外部に流出することが禁止される。
【００５８】
一方、図６（ｂ）に示すように、流体（Ｆ）が吸入部１７を通過して流体貯留部１１の内部に流入しようとした場合、この流体（Ｆ）の圧力によってゴム弁５１の弁体がゴム弁ホルダ５２ｂの大径穴５４に入り込むように変位することで、ゴム弁ホルダ５２ａの小径穴５３を開にする。これにより、流体（Ｆ）は吸入部１７を通過して流体貯留部１１の内部に流入することができる。
【００５９】
図７（ａ）及び図７（ｂ）はノズル用逆止弁６０を説明するための模式図である。具体的には図７（ａ）及び図７（ｂ）は、ノズル１４におけるノズル用逆止弁６０の近傍を拡大して模式的に断面図示している。図７（ａ）はノズル用逆止弁６０が閉弁した状態を示し、図７（ｂ）はノズル用逆止弁６０が開弁した状態を示している。なお、ノズル用逆止弁６０の構成を視認し易くするために、ノズル１４は二点鎖線で図示されている。
【００６０】
ノズル用逆止弁６０は、流体貯留部１１の内部の流体（Ｆ）がノズル１４を通過してポンプ１０の外部に流入することを許容し、流体（Ｆ）がノズル１４を通過して流体貯留部１１の内部に流入することを禁止する逆止弁である。このような機能を有するものであれ
ば、ノズル用逆止弁６０の具体的な配置箇所は特に限定されるものではない。ノズル用逆止弁６０の配置箇所の具体例を挙げると、ノズル１４の流体入口部や、ノズル１４の内部においてノズル１４の流体入口部よりもノズル１４の流体出口部に近い箇所等を用いることができる。本実施形態に係るノズル用逆止弁６０は、一例として、ノズル１４の流体入口部に配置されている。
【００６１】
本実施形態に係るノズル用逆止弁６０は、一例として、ゴム弁６１と、ゴム弁ホルダ６２ａ及びゴム弁ホルダ６２ｂとを有している。ゴム弁６１は、円板状のゴム板の一部に切り込みが設けられており、これにより、図７（ｂ）に示すように、ゴム弁６１の中央部の一部（これが弁体として機能する）が屈曲してノズル１４の先端側に変位できるように構成されている。
【００６２】
ゴム弁ホルダ６２ａ，６２ｂは、ゴム弁６１を保持する部材である。具体的には、本実施形態に係るゴム弁ホルダ６２ａ，６２ｂはリング状の部材によって構成されており、ゴム弁ホルダ６２ａはゴム弁６１よりもノズル１４の基端側に配置され、ゴム弁ホルダ６２ｂはゴム弁６１よりもノズル１４の先端側に配置されている。ゴム弁６１は、ゴム弁ホルダ６２ａとゴム弁ホルダ６２ｂとによって挟持されている。ゴム弁ホルダ６２ａには、ゴム弁６１の弁体の径よりも小さい径を有する小径穴６３が形成されている。ゴム弁ホルダ６２ｂには、ゴム弁６１の弁体の径よりも大きい径を有する大径穴６４が形成されている。
【００６３】
図７（ａ）に示すように、流体（Ｆ）がノズル１４を通過して流体貯留部１１の内部に流入しようとした場合、この流体（Ｆ）の圧力によってゴム弁６１の弁体がゴム弁ホルダ６２ａの小径穴６３を閉塞する。これにより、流体（Ｆ）がノズル１４を通過して流体貯留部１１の内部に流入することが禁止される。
【００６４】
一方、図７（ｂ）に示すように、流体貯留部１１の内部の流体（Ｆ）がノズル１４を通過してポンプ１０ａの外部に流出しようとした場合、この流体（Ｆ）の圧力によってゴム弁６１の弁体がゴム弁ホルダ６２ｂの大径穴６４に入り込むように変位することで、ゴム弁ホルダ６２ａの小径穴６３を開にする。これにより、流体（Ｆ）はノズル１４を通過してポンプ１０ａの外部に流出することができる。
【００６５】
なお、吸入部用逆止弁５０やノズル用逆止弁６０の構成は、上述したようなゴム弁を用いた構成に限定されるものではない。他の一例を挙げると、吸入部用逆止弁５０やノズル用逆止弁６０として、例えば弁体としてボール（球）を用いた公知の逆止弁等を用いることもできる。
【００６６】
本実施形態によれば、前述した実施形態１の作用効果に加えて、次の作用効果を奏することができる。すなわち、本実施形態によれば、吸入部用逆止弁５０及びノズル用逆止弁６０を備えているので、流体貯留部１１への流体の吸入時には、ノズル１４から流体が吸入されることを抑制しつつ吸入部１７から流体貯留部１１へ流体を吸入することができ、流体の流出時（風船１のへ流体の注入時）には吸入部１７から流体が流出することを抑制しつつノズル１４から流体を流出させて、風船１に流体を注入することができる。これにより、ノズル１４に風船１を挿入した状態で、吸入部１７から流体を流体貯留部１１内に吸入することができる。この結果、ノズル１４に風船１を挿入した状態で、流体貯留部１１への流体の吸入と風船１への流体の注入とを連続して行うことができる。
【００６７】
（実施形態１及び実施形態２の変形例１）
上述した実施形態１及び実施形態２において、ピストン１２及び流体貯留部１１は以下に説明する本変形例に係る構成とすることもできる。図８（ａ）は本変形例に係るピスト
ン１２ｂの模式的外観図であり、図８（ｂ）はピストン１２ｂをＡ−Ａ線で切断した端面を拡大して示す拡大切断部端面図であり、図８（ｃ）は本変形例に係る流体貯留部１１ｂの基端部を正面（流体貯留部１１ｂの軸線の方向）から視認した状態を模式的に拡大して示す模式的拡大図である。
【００６８】
図８（ａ）及び図８（ｂ）に示すように、ピストン１２ｂは、連結部７１ｂが十字状部材７３によって構成されている点において、前述した図１（ａ）に示すピストン１２と異なっている。具体的には、十字状部材７３は、４つの板部材が９０度のなす角で接続することで、切断面が十字状になるように構成されている。
【００６９】
このように連結部７１ｂが十字状部材７３によって構成されているため、図８（ｃ）に示すように、流体貯留部１１ｂの基端部には、この十字状部材７３が通過できるような十字状の穴（十字状穴８０）が形成されている。この十字状穴８０は、ピストン１２ｂが流体貯留部１１ｂ内を摺動する際にピストン１２ｂが回転することを抑制しつつピストン１２ｂの連結部７１ｂを流体貯留部１１ｂの軸線方向（すなわちシリンダ軸方向）にガイドするピストンガイド部としての機能を有している。
【００７０】
なお、本変形例に係るピストン１２ｂにおいても、前述したピストン１２と同様に、グリップ部７２は円柱形状又は円筒形状になっている。
【００７１】
本変形例によれば、上述したピストンガイド部を有しているので、ピストン１２ｂを操作する際に、ピストン１２ｂが回転すること（具体的にはシリンダ軸回りに回転すること）を抑制しつつピストン１２ｂをシリンダ軸方向に変位させることができる。これにより、ピストン１２の操作時にピストン１２が回転することを抑制できるので、ピストン１２ｂの操作性を向上させることができる。また、本変形例においても、グリップ部７２が円柱形状又は円筒形状になっているので、ユーザはグリップ部７２を容易に握ることができる。この点においても、グリップ部７２が円柱形状や円筒形状になっていない場合に比較して、ピストン１２ｂの操作性を向上させることができる。
【００７２】
なお、ピストンガイド部の具体的な構成は、ピストン１２ｂが回転することを抑制しつつピストン１２ｂがシリンダ軸方向に変位できるようにピストンをガイドできる構成であればよく、上述したような十字状の形状のものに限定されるものではない。
【００７３】
（実施形態１及び実施形態２の変形例２）
図９は本変形例に係るポンプ１０ｃの構成を説明するための模式図である。本変形例に係るポンプ１０ｃは、ピストンポンプではなく、ゴムポンプである点において、前述した実施形態１及び実施形態２と異なっている。
【００７４】
具体的には、図９に例示するポンプ１０ｃは、流体貯留部１１ｃとして、ゴム製の球状の流体貯留部を備えている。また、ポンプ１０ｃは、ピストン１２を備えていない。また、吸入部１７の配置箇所が、流体貯留部１１ｃのノズル１４が配置されている箇所の反対側の箇所になっている。このような点において、図９のポンプ１０ｃは、図１（ａ）の実施形態１に係るポンプ１０と異なっている。
【００７５】
なお、流体貯留部１１ｃの具体的な材質は、内部に流体を貯留できる材質であり、且つ、流体貯留部１１ｃの外表面を内側に押圧することで流体をノズル１４から排出できる材質（例えば弾性変形可能な材質）であればよく、ゴム以外の材質を用いることもできる。また、流体貯留部１１ｃの具体的な形状も、球状に限定されるものではなく、球状以外の形状であってもよい。また、吸入部１７の具体的な配置箇所も、図９に示す箇所に限定されるものではない。
【００７６】
本変形例においても、ポンプ１０ｃのノズル１４が突起１６を備えているので、実施形態１と同様の作用効果を奏することができる。
【００７７】
また、本変形例に係るポンプ１０ｃは、さらに実施形態２の吸入部用逆止弁５０及びノズル用逆止弁６０を備えていてもよい。この場合には、実施形態２と同様の作用効果を奏することができる。
【００７８】
以上本発明の好ましい実施形態について説明したが、本発明はかかる特定の実施形態に限定されるものではなく、特許請求の範囲に記載された本発明の要旨の範囲内において、種々の変形・変更が可能である。
【符号の説明】
【００７９】
１  風船
２  本体部
３  流体取込部
１０，１０ａ，１０ｃ  風船用ポンプ
１１，１１ｂ，１１ｃ  流体貯留部
１２，１２ｂ  ピストン
１４  ノズル
１５  ノズル先端面
１６  突起
１７  吸入部
２０  ノズル垂直面
２１  ノズル傾斜面
３０  第１突起表面
３１  第２突起表面
４１  溝
５０  吸入部用逆止弁
６０  ノズル用逆止弁
１００  ノズル軸線
【図１】
2018102552.tif 000003
【図２】
2018102552.tif 000004
【図３】
2018102552.tif 000005
【図４】
2018102552.tif 000006
【図５】
2018102552.tif 000007
【図６】
2018102552.tif 000008
【図７】
2018102552.tif 000009
【図８】
2018102552.tif 000010
【図９】
2018102552.tif 000011